(57)【要約】【課題】効き目が長時間持続し、装着作業が容易で、廉価で、かつ仕事や家事の時間を無駄にすることのない健康パッドを提供する。【解決手段】生活機能病である腰痛、肩こり、関節などを緩和するために、人体に装着して使用するパッドであって、シリコーンゴム１１に、少なくとも、遠赤外線およびテラヘルツの電磁波を放出する天然鉱石混合パウダー１２を混入したシート材１０と、シート材１０を収納する内袋２０と、両端に取付け用の帯片３１を設け、シート材１０を収納した前記内袋２０を出し入れ自在に収納する外袋３０と、で構成する。【選択図】      図３
0003112843.tif 000002
【実用新案登録請求の範囲】
【請求項１】
生活機能病である腰痛，肩こり，関節などを緩和するために，人体に装着して使用するパッドであって、シリコーンゴム（１１）に，少なくとも，遠赤外線およびテラヘルツの電磁波を放出する天然鉱石混合パウダー（１２）を混入したシート材（１０）と、前記シート材を収納する内袋（２０）と、両端に取付け用の帯片（３１）を設け，前記シート材を収納した前記内袋を出し入れ自在に収納する外袋（３０）と、からなる健康パッド。
【請求項２】
生活機能病である腰痛，肩こり，関節などを緩和するために，人体に装着して使用するパッドであって、シリコーンゴム（１１）に，少なくとも，遠赤外線およびテラヘルツの電磁波を放出する天然鉱石混合パウダー（１２）を混入したシート材（１０）と、前記シート材を収納する内袋（２０）と、両端に取付け用の帯片（３１）を設け，前記シート材を収納した前記内袋を出し入れ自在に収納する外袋（３０）と、からなり、前記内袋を布製とし，かつ，前記外袋に，前記シート材を収納した前記内袋を出し入れするための開閉チャック（３２）を設けてなる健康パッド。
【考案の詳細な説明】
【技術分野】
【０００１】
本考案は、腰痛、肩こり、関節痛などのいわゆる生活機能病を緩和することのできる健康パッドに関するものである。
【背景技術】
【０００２】
慌ただしい生活を強いられがちな現代社会では、腰痛、肩こり、関節病などのいわゆる生活機能病に冒され易い。こうした生活機能病は、そのまま放置しておくと慢性化し、完治しない厄介な病気となってしまう。
【０００３】
従来、こうした生活機能病を癒すために様々な手段が採られてきた。例えば、腰痛を治すために、患部にシート状の湿布薬を貼り付けたり、肩こりを治すために、マッサージ器を使用するなどがそれである。
【考案の開示】
【考案が解決しようとする課題】
【０００４】
しかし、湿布薬を患部に貼り付ける手段では、効き目が短時間で途絶えるため、頻繁に取り替える必要があり、その貼り付け作業が面倒である。また、マッサージ器は、一般に高価であり、また、それを使用している間は仕事や家事などを中断する必要があるので、そうした時間を無駄にしてしまう。
【０００５】
本考案はこうした問題に鑑み創案されたもので、効き目が長時間持続し、装着作業が容易で、廉価で、かつ仕事や家事の時間を無駄にすることのない健康パッドを提供することを課題とする。
【課題を解決するための手段】
【０００６】
図１乃至図３を参照して説明する。請求項１に記載の健康パッド１は、生活機能病である腰痛、肩こり、関節などを緩和するために、人体に装着して使用するパッドであって、シリコーンゴム１１に、少なくとも、遠赤外線およびテラヘルツの電磁波を放出する天然鉱石混合パウダー１２を混入したシート材１０と、前記シート材１０を収納する内袋２０と、両端に取付け用の帯片３１を設け、前記シート材１０を収納した前記内袋２０を出し入れ自在に収納する外袋３０と、からなるものである。
【０００７】
なお、「天然鉱石混合パウダー１２」とは、天然鉱石を粉末状に粉砕したものを主成分としたパウダーのことを言う。
【０００８】
請求項２に記載の健康パッド１は、生活機能病である腰痛、肩こり、関節などを緩和するために、人体に装着して使用するパッドであって、シリコーンゴム１１に、少なくとも、遠赤外線およびテラヘルツの電磁波を放出する天然鉱石混合パウダー１２を混入したシート材１０と、前記シート材１０を収納する内袋２０と、両端に取付け用の帯片３１を設け、前記シート材１０を収納した前記内袋２０を出し入れ自在に収納する外袋３０と、からなる。また、前記内袋２０を布製とし、かつ、前記外袋３０に、前記シート材１０を収納した前記内袋２０を出し入れするための開閉チャック３２を設けてなるものである。
【考案の効果】
【０００９】
請求項１に記載の健康パッド１は、天然鉱石混合パウダー１２を使用したので、それが放出する遠赤外線およびテラヘルツ（育成光線）の電磁波、さらにはマイナスイオンのはたらきによって、副交感神経のはたらきを活発化して血流を促し、腰痛や肩こりあるいは関節病といったいわゆる生活機能病を効果的に緩和することができる。また、それに伴い、疲労回復、ストレス解消、心身のバランス調整が行われ、健康で快適な生活を送るための一助となる。
【００１０】
なお、遠赤外線とは波長が２５〜５０００μｍの電磁波をいう。また、テラヘルツとは、１０の１２乗ヘルツ波長の電磁波をいう。遠赤外線とテラヘルツはほぼ同域の波長であるが、前者がいわゆる表のエネルギー（横波）で「吸収波長」であるのに対して、後者が裏のエネルギー（縦波）で「透過波長」と言われている。
【００１１】
また、この遠赤外線、テラヘルツおよびマイナスイオンは長期間にわたって放出されるので、その効き目が長時間持続する。従って、頻繁に取り替える必要がないので、装着作業が容易である。また、天然鉱石を使用するので価格も廉価である。さらに、装着したまま仕事や家事を行うことができるので、時間を無駄にすることがない。
【００１２】
また、天然鉱石混合パウダー１２をシリコーンゴム１１に混入してシート材１０としているので、肉薄に形成でき、その取り扱いが容易である。なお、シリコーンゴム１１は耐熱性に富むので、人体の体温によってシート材１０が軟弱化し、天然鉱石混合パウダー１２がシート材１０から落下するといった問題も発生しない。また、シート材１０を内袋２０に収納していることによっても、同様の問題は発生しない。
【００１３】
また、シート材１０を収納した内袋２０を外袋３０に収納し、その外袋３０に帯び片を設けているので、当該帯片３１を人体の適所に取り付けることによって、シート材１０を患部に正確に当てることができる。
【００１４】
請求項２に記載の健康パッド１は、請求項１に記載の考案と同様に、生活機能病を効果的に緩和することができる。また、その効き目が長時間持続し、装着作業が容易で、廉価で、かつ時間を無駄にすることがない等の効果を発揮する。
【００１５】
また、内袋２０を布製としているので、天然鉱石混合パウダー１２が放出する電磁波を遮断しない。さらに、外袋３０に開閉チャック３２を設けたので、内袋２０の出し入れを容易に行うことができる。
【考案を実施するための最良の形態】
【００１６】
本考案に係る健康パッド１の実施形態を、図１乃至図３に示す。
これは、生活機能病である腰痛、肩こり、関節などを緩和するために、人体に装着して使用するパッドであり、シート材１０、内袋２０、および外袋３０からなる。
【００１７】
シート材１０は、肉薄の長方形状であり、シリコーンゴム１１に、遠赤外線およびテラヘルツの電磁波さらにはマイナスイオンを放出する天然鉱石混合パウダー１２を混入し、その片側面に不織布１３を貼り付けて構成している。
【００１８】
内袋２０は、シート材１０を収納する長方形状で、本実施形態では布製とし、シート材１０を収納後、その全周を閉塞している。また、外袋３０は、横長楕円形状で、その両端に人体に取付けるためのゴム製で、装着金具３３と長さ調節金具３４を有する帯片３１を設け、シート材１０を収納した内袋２０を出し入れ自在に収納する。さらに、この外袋３０には、当該内袋２０を出し入れするために横長の開閉チャック３２を長手方向に設けている。
【００１９】
この健康パッド１は、次のようにして使用する。例えば、腰痛を緩和するために使用する場合は、シート材１０を内袋２０に収納し、それを外袋３０に収納した後、帯片３１を腰に巻き付けて装着金具３３で固定する。この際、長さ調節金具３４によって帯片３１の長さを自在に調整する。こうして、シート材１０を腰痛が発生している患部に当て、当該シート材１０の天然鉱石混合パウダー１２から放出される遠赤外線およびテラヘルツの電磁波、さらにはマイナスイオンによって痛みを効果的に緩和する。
【００２０】
なお、この遠赤外線、テラヘルツおよびマイナスイオンは長期間にわたって放出されるので、その効き目が長時間持続し、よって、頻繁に取り替える必要がないので、装着作業が容易である。また、天然鉱石を使用するので価格も廉価である。さらに、装着したまま立ち仕事やデスクワーク、長距離運転あるいは家事労働中などに使用することができるので、仕事や家事を中断することなく使用することができ、労働時間を無駄にすることがない。
【００２１】
また、天然鉱石混合パウダー１２をシリコーンゴム１１に混入してシート材１０としているので、肉薄に形成でき、その取り扱いが容易である。なお、シリコーンゴム１１は耐熱性に富むので、人体の体温によってシート材１０が軟弱化し、天然鉱石混合パウダー１２がシート材１０から落下するといった問題は発生しない。また、シート材１０を布製の内袋２０に収納しているので、同様に、天然鉱石混合パウダー１２が落下するといった問題は発生しない。
【００２２】
さらに、シート材１０を収納した内袋２０を外袋３０に収納し、その外袋３０に帯び片を設けているので、当該帯片３１を人体の適所に装着することによって、シート材１０を患部に正確に当てることができる。また、内袋２０を布製としているので、天然鉱石混合パウダー１２が放出する電磁波を遮断せず、その効き目を妨げない。またさらに、外袋３０に開閉チャック３２を設けているので、内袋２０の出し入れを容易に行うことができる。
【００２３】
本実施形態に係る健康パッド１は、腰痛のみでなく、肩こりや関節痛の場合にも、同様に、帯片３１を人体に巻き付けてシート材１０を患部に当て、その痛みを緩和することができる。なお、この健康パッド１は、他の生活機能病である眼の疲れ、慢性便秘、不眠症、しびれ等にも効果を発揮する。
【実施例】
【００２４】
本考案者らは、本考案に係る健康パッド１の効き目を実験により確かめた。この実験は、当該健康パッド１を多くの人々に実際に使用してもらい、その感想を聞くといった手法で行った。以下、その結果を示す。
【００２５】
（イ）４０才、男、自動車板金工…中腰作業後の腰の痛みがなくなった。
（ロ）５５才、男…長年の腰痛が気にならなくなった。
（ハ）４８才、男…ゴルフプレー後は、特に４〜５日は腰痛がひどかったが、プレー後、風呂上がりから着用したら、翌日、腰痛が全くなかった。不思議だ。
（ニ）６０才、男…麻雀を２日連続で行ったが、腰痛がない。今までは考えられなかったことだ。
（ホ）３４才、男…ヘルニアで苦労しているが、着用１週間過ぎ頃から足の痺れがなくなった。
【００２６】
（ヘ）６０才、男…車の長距離運転をすると腰に負担が掛かり中腰姿勢になりがちなのが、全然感じなくなり、姿勢良く動けるのでびっくりしている。
（ト）６５才、女、主婦…ガーデニングや家庭菜園などの作業後に、腰の疲れが感じなくなった。
（チ）４５才、男、美容師…仕事での長時間の立ち仕事が楽になった。
（リ）５５才、男…朝起きると頭痛がするくらい肩こりがひどかったが、３〜４日続けていたら、肩こりをいつの間にか感じなくなった。
（ヌ）２７才、女、事務業務…パソコンでの長時間のデスクワークで肩こりがひどいが、装着後、短時間で楽になった。
【００２７】
（ル）７５才、女…階段の上がり下がりでの膝の痛みがなくなった。
（ヲ）６０才、女…膝が悪く最近、正座ができなかったのに、装着２日で正座ができるようになった。
（ワ）７３才、女…膝、腰が長年悪く歩くのが辛かったが、使用後、１週間程度で体が楽になり、散歩が楽しくなった。
（カ）５５才、女…膝が悪く、鍼治療でずっと通院していたが、パッド使用後、２日ほどで痛みが消え、今はパッドだけで病院に行く必要がなくなった。感謝。
（ヨ）６５才、男…背骨を骨折して後遺症で背中の痛みや腕が上がらなかったのが、背中に装着して１時間程度で腕が楽に上がるようになり、２〜３日で背中の痛みも消え、楽になった。
【００２８】
（タ）５９才、男…夜中にトイレが近くて２〜３度必ず目覚めていたのが、３日後から熟睡で夜尿症がなくなり、快適になった。
（レ）６０才、女…就寝時、目の疲れをとるために目に当てて寝たら、１０日目で老眼鏡なしで新聞が見れるようになった。信じられない。
（ソ）５３才、女…仕事がら常時、老眼鏡を使用していたが、パッドを目に当てて寝てたら、４〜５日過ぎた頃から老眼鏡を使わず仕事ができるようになった。
（ツ）４０才、男…慢性便秘が装着後２日で治った。不思議だ。
（ネ）４５才、男…ぎっくり腰で、１週間装着しているが、いまいち効果を感じていない。
（ナ）４２才、男…仕事で車の運転が多いため腰痛が慢性化していた。装着後２〜３日経っていつの間にか腰痛が消えていた。毎日装着している。手放せない。
【００２９】
この実験から、本考案に係る健康パッド１は、あらゆる生活機能病を緩和するのにきわめて効果的であることを確認できた。
【図面の簡単な説明】
【００３０】
【図１】本考案に係る健康パッドの使用状態を示す説明図である。
【図２】本考案に係る健康パッドの実施形態を示す部分破断正面図である。
【図３】本考案に係る健康パッドの実施形態を示す分解斜視図である。
【符号の説明】
【００３１】
１        健康パッド
１０      シート材
１１      シリコーンゴム
１２      天然鉱石混合パウダー
１３      不織布
２０      内袋
３０      外袋
３１      帯片
３２      開閉チャック
３３      装着金具
３４      長さ調節金具
【図１】
0003112843.tif 000003
【図２】
0003112843.tif 000004
【図３】
0003112843.tif 000005